(57)【要約】【課題】ドリンク受け器底部に押し当てるだけで粉砕するポンチ型のガラスクラッシャーと受け部に設けたシートベルトカッターを提供する。【解決手段】車載用ドリンクホルダーに設置するドリンク受け器の底部中央に押し当てるだけで自動車サイドガラスを粉砕する能力を有したポンチ型のガラスクラッシャーを設け、受け部にシートベルトカッターを設け、常に手にする日常使用品が自動車用の緊急避難具となることを特徴としたドリンク受け器のガラスクラッシャーとシートベルトカッター。【選択図】図１
2019214350.tif 000002
【特許請求の範囲】
【請求項１】
車載用ドリンク受け器の機能を有し、その本体底部にポンチ型ガラスクラッシャーを設け、受け部にシートベルトカッターを設け、手元に常備された日常使用品が自動車用の緊急避難用品となることを特徴としたドリンク受け器のガラスクラッシャーとシートベルトカッター。
【発明の詳細な説明】
【技術分野】
【０００１】本発明はドリンク受け器に有する自動車サイドガラス用のガラスクラッシャーとシートベルトカッターに関するものである。
【背景技術】
【０００２】従来、ガラスクラッシャーはハンマー型とスティック型とポンチ型が有り、収納部より取り出すか日常の動作でぶつからない所に設置するために暗闇でも直ぐに手にすることができる物は無く、シートベルトカッターも緊急時に手元にあるものは無く、又はキーホルダータイプの物は常時携帯で所持しなければならないものであった。
【先行技術文献】
【特許文献】
【０００３】
【特許文献１】実開昭６１−０９１３４０公報
【特許文献２】特開平１０−２９１４３９公報
【発明の概要】
【発明が解決しようとする課題】
【０００４】そのために次のような問題点があった。
（イ）日中や夜間の暗闇でも緊急時にガラスクラッシャーとシートベルトカッターは収納      場所より捜し出す問題が有った。
（ロ）ガラスクラッシャーを取り付けて固定すると日常動作でぶつかり落下や身体や衣服      に接触しないように座席より離れた設置場所であった。
（ハ）水没時に起きるシートベルト連結部の故障と水でシートベルトがまとわり付いた時      に従来品は身動きが取れないために収納場所や設置場所から取り出しができず、キ      ーホルダータイプはいつ起きるかわからない水没事故のためにいつも持ち続けなけ      ればならず、そのうちに所持しなくなる。
（ニ）従来品は常時使用の日常使用品では無いので緊急時にその存在を忘れ、水没時や電      気系トラブルや暗闇で直ぐに手にできずに緊急時に役立たない。
本考案は、これらの問題点を解決するためになされたものである。
【課題を解決するための手段】
【０００５】車載用ドリンクホルダーに設置する円筒型の非錆金属製や耐熱性強化プラスチック製のドリンク受け器であり、その底部にポンチ型ガラスクラッシャーを設け、ガラスクラッシャーの先端は丸みの有る円錐型やプラスドライバー型を有し、シートベルトカッターとなる受け部を設け、日常使用品として毎日自然と手にしているために緊急時に直ぐに手に取り危機からの脱出に備えられる。
以上を特徴とするガラスクラッシャーとシートベルトカッターである。
【発明の効果】
【０００６】市販の車載用ドリンクホルダーの円筒型ドリンク受け器として日常使用し手元にあり暗闇の緊急時でも直ぐに手に取れて自動車水没事故、電気系トラブルによる自動車内の閉じ込め時にサイドガラスにガラスクラッシャーを押し当てるだけで粉々に粉砕でき、受け部がシートベルトカッターとなる避難用具である。
【図面の簡単な説明】
【０００７】
【図１】本発明の断面図である。
【図２】本発明の本体底部と本体上部の表面図ある。
【図３】本発明の受け部上面図である。
【図４】本発明のシートベルトカッターの工法図である。
【図５】別の実施例としてシートベルトカッターが装填されたものである。
【発明を実施するための形態】
【０００８】以下、本発明の実施形態について説明する。
（イ）本体（１）は市販の円筒型ドリンクホルダーに設置するドリンク容器の受け器として日常使用品となり、ペーパーカップや缶製ドリンクや５００ｍＬペットボトルが入る直径約７ｃｍ高さ約６ｃｍを有し、本体（１）の素材は頑丈で薄型の非錆製金属や耐熱性強化プラスチック製であり、市販の車載用円筒型ドリンクホルダーに設置できる形状とサイズを有する。
（ロ）本体（１）の底部（２）の中央に長さ約１、２ｃｍのガラスクラッシャー（３）を設け、その先端部は円錐状でありそのテーパの山頂部は丸みを有した安全な先端部の形状であり、またはプラスドライバー形状の安全な先端部の形状であり、押し当て使用するポンチ型のガラスクラッシャー（３）となり、ガラスクラッシャー（３）を使用時には本体（１）は底部（２）の方向に圧力を加えての使用にも頑丈な強度を有し、ガラスクラッシャー（３）は底部（２）に有する固定部（４）に楔状に強固な溶接固定されているために押し付けて使用する圧力にも頑丈である。
（ハ）受け部（６）の形状は本体（１）の土台として把持する下蓋となり、素材はプラスチック製や成型し易く耐久性が有る合成ゴム製や表面の粘着性を抑える摺動塗装でコーティングされた樹脂製であり、内径約７ｃｍ高さ約２，２ｃｍの円柱型であり、受け部（６）内径の上面から下に約７ｍｍ幅の連結部（８）を有し、前記の連結部（８）は底部（２）の下面外径と連結と分離ができる。
（ニ）受け部（６）は差し込み口（１０）よりシートベルトを差し入れ瞬時に切断するためのシートベルトカッター（９）の刃を有し、受け部（６）の中央にドーナツ状にくり抜かれたスペーサー（７）はガラスクラッシャー（３）の刃先が受け部に接触するのを防ぎ、シートベルトカッター（９）使用時の指の差し入れ口となる。
（ホ）本体（１）の上部に有する頂部（５）は手のひらで把握し底部（２）の中央に有するガラスクラッシャー（３）方向に力を加え押しつけるための丸みを有し手が痛くならず市販のドリンクホルダーから本体（１）を取り出し易い形状と機能を有する。
（ヘ）本体（１）はドリンクを飲む手元のドリンクホルダーに常備固定され、ドリンクを飲む度にその位置が自然と習慣付けがなされ、暗闇でも直ぐに手に取れて緊急時の使用が容易である。
（ト）図４はシートベルトカッター（９）を工法口（１１）から挿入工法により差し込み口（１０）の内部に刀身の刃渡り約２ｃｍの刃を固定したものである。
（チ）図５は別の実施例として受け部（６）にシートベルトカッター（９）を単体として保有をして取り外して使用するものである。
本発明は以上のような構成である。
本発明を使用するときは、自動車内の閉じ込め事故からの緊急脱出時にドリンクホルダーより本体（１）を取り出し受け部（６）との連結を外し頂部（５）把握しガラスクラッシャー（３）を自動車サイドガラスに押し当て、カチッと音がするまで押し込むだけで瞬時に自動車サイドガラスを粉々に粉砕し、粉砕された自動車サイドガラスは本体（１）に有する頂部（５）を手の平で押し粉砕されたサイドガラスを押し崩し除去するか、一気に足裏で蹴飛ばし落とす、またシートベルトが故障した時やシートベルトが濡れて身体に絡み付く時に本体（１）と受け部（６）との結合を外し受け部（６）に有する差し込み口（１０）にシートベルトを差し込みスペーサー（７）に指を入れて引っ張るとシートベルトカッター（９）により瞬時に切断される、また本品の設置場所を前後左右の席に複数設置すると緊急時に効果的である。
【符号の説明】
【０００９】  １本体
２底部
３ガラスクラッシャー
４固定部
５頂部
６受け部
７スペーサー
８連結部
９シートベルトカッター
１０差し込み口
１１工法口
１２ドリンク容器
【図１】
2019214350.tif 000003
【図２】
2019214350.tif 000004
【図３】
2019214350.tif 000005
【図４】
2019214350.tif 000006
【図５】
2019214350.tif 000007
【手続補正書】
【提出日】平成30年11月30日(2018.11.30)
【手続補正１】
【補正対象書類名】明細書
【補正対象項目名】０００５
【補正方法】変更
【補正の内容】
【０００５】車載用ドリンク受け器の底部にポンチ型ガラスクラッシャーを設ける。
その下蓋にシートベルトカッターとなる受け部を設ける。
日常品として毎回手にするために緊急時に直ぐ手に取り危機からの脱出に備えられる。
以上を特徴とするドリンク受け器のガラスクラッシャーとシートベルトカッター。